【手続補正書】
【提出日】平成30年5月14日(2018.5.14)
【手続補正１】
【補正対象書類名】特許請求の範囲
【補正対象項目名】全文
【補正方法】変更
【補正の内容】
【特許請求の範囲】
【請求項１】
ピアツーピア通信システムのグループオーナーノードにおいて電力消費を制御するための方法であって、
前記グループオーナーノードの省電力モードとクライアントノードの省電力モードとを、前記グループオーナーノードによって決定することと、
前記グループオーナーノードと前記クライアントノードとの間のデータ接続のカテゴリを、前記グループオーナーノードによって決定することと、ここにおいて、データ接続の前記カテゴリは、ピアツーピアバルクデータ伝送、またはアイソクロナスデータ伝送のうちの１つであり得る、
前記グループオーナーノードの前記決定された省電力モード、前記クライアントノードの前記決定された省電力モード、およびデータ接続の前記決定されたカテゴリに少なくとも部分的に基づいて、前記グループオーナーノードの省電力パラメータを調整することと
を備える方法。
【請求項２】
前記グループオーナーノードの前記決定された省電力モードが、日和見主義的省電力モードを備え、前記クライアントノードの前記決定された省電力モードが、標準省電力モードを備え、データ接続の前記決定されたカテゴリが、前記グループオーナーノードから前記クライアントノードへの前記ピアツーピアバルクデータ伝送を備え、前記グループオーナーノードの前記省電力パラメータを調整することが、
前記グループオーナーノードのクライアントトラフィックウィンドウ（ＣＴＷｉｎｄｏｗ）の継続時間をビーコン区間の範囲内になるように増大させることを備える、
請求項１に記載の方法。
【請求項３】
前記グループオーナーノードの前記決定された省電力モードが、ＮｏＡ省電力モードを備え、データ接続の前記決定されたカテゴリが、前記グループオーナーノードから前記クライアントノードへの前記ピアツーピアバルクデータ伝送を備え、前記グループオーナーノードの前記省電力パラメータを調整することが、
前記グループオーナーノードの不在継続時間を０まで減少させることを備える、
請求項１に記載の方法。
【請求項４】
前記グループオーナーノードの前記決定された省電力モードが、日和見主義的省電力モードを備え、前記クライアントノードの前記決定された省電力モードが、標準省電力モードを備え、データ接続の前記決定されたカテゴリが、前記グループオーナーノードから前記クライアントノードへの前記ピアツーピアアイソクロナスデータ伝送を備え、前記グループオーナーノードの前記省電力パラメータを調整することが、
前記グループオーナーノードのＣＴＷｉｎｄｏｗの継続時間をビーコン区間の範囲内になるように増大させることを備える、
請求項１に記載の方法。
【請求項５】
前記グループオーナーノードの前記決定された省電力モードが、日和見主義的省電力モードを備え、前記クライアントノードの前記決定された省電力モードが、ｕＡＰＳＤ省電力モードを備え、データ接続の前記決定されたカテゴリが、前記グループオーナーノードから前記クライアントノードへの前記ピアツーピアアイソクロナスデータ伝送を備え、前記グループオーナーノードの前記省電力パラメータを調整することが、
前記グループオーナーノードのＣＴＷｉｎｄｏｗの継続時間をビーコン区間の範囲内になるように増大させることを備える、
請求項１に記載の方法。
【請求項６】
前記グループオーナーノードの前記決定された省電力モードが、ＮｏＡ省電力モードを備え、データ接続の前記決定されたカテゴリが、前記グループオーナーノードから前記クライアントノードへの前記ピアツーピアアイソクロナスデータ伝送を備え、前記グループオーナーノードの前記省電力パラメータを調整することが、
前記グループオーナーノードの不在継続時間を０まで減少させることを備える、
請求項１に記載の方法。
【請求項７】
前記省電力パラメータを調整することが、前記グループオーナーノードと前記クライアントノードとの間の前記データ接続のスループット、前記グループオーナーノードと前記クライアントノードとの間の前記データ接続のレイテンシ、またはそれらの組み合せを変更する、請求項１に記載の方法。
【請求項８】
ピアツーピア通信システムのクライアントノードによって電力消費を制御するための方法であって、
前記クライアントノードの省電力モードを、前記クライアントノードによって決定することと、ここにおいて、前記クライアントノードの前記省電力モードが、標準省電力モードおよび非スケジュール自動省電力送達（ｕＡＰＳＤ）省電力モードからなるグループのうちの１つである、
グループオーナーノードの省電力モードを、前記クライアントノードによって決定することと、ここにおいて、前記グループオーナーノードの前記省電力モードが、不在通知（ＮｏＡ）省電力モードおよび日和見主義的省電力モードからなるグループのうちの１つである、
前記クライアントノードと前記グループオーナーノードとの間のデータ接続のカテゴリを、前記クライアントノードによって決定することと、ここにおいて、データ接続の前記カテゴリは、ピアツーピアバルクデータ伝送、またはアイソクロナスデータ伝送のうちの１つであり得る、
前記クライアントノードの前記決定された省電力モード、前記グループオーナーノードの前記決定された省電力モード、およびデータ接続の前記決定されたカテゴリに少なくとも部分的に基づいて、前記クライアントノードの省電力パラメータを調整することと
を備える方法。
【請求項９】
前記クライアントノードの前記決定された省電力モードが、前記標準省電力モードであり、前記グループオーナーノードの前記決定された省電力モードが、前記ＮｏＡ省電力モードであり、データ接続の前記決定されたカテゴリが、前記グループオーナーノードから前記クライアントノードへの前記ピアツーピアバルクデータ伝送を備え、前記クライアントノードの前記省電力パラメータを調整することが、
前記標準省電力モードを中断することを備える、
請求項８に記載の方法。
【請求項１０】
前記クライアントノードの前記決定された省電力モードが、前記ｕＡＰＳＤ省電力モードであり、前記グループオーナーノードの前記決定された省電力モードが、前記ＮｏＡ省電力モードであり、データ接続の前記決定されたカテゴリが、前記グループオーナーノードから前記クライアントノードへの前記ピアツーピアバルクデータ伝送を備え、前記クライアントノードの前記省電力パラメータを調整することが、
前記クライアントノードのｕＡＰＳＤトリガを前記グループオーナーノードの存在期間に同期させることを備える、
請求項８に記載の方法。
【請求項１１】
前記クライアントノードの前記決定された省電力モードが、前記標準省電力モードであり、データ接続の前記決定されたカテゴリが、前記グループオーナーノードから前記クライアントノードへの前記ピアツーピアアイソクロナスデータ伝送を備え、前記クライアントノードの前記省電力パラメータを調整することが、
前記標準省電力モードを中断することを備える、
請求項８に記載の方法。
【請求項１２】
前記クライアントノードの前記決定された省電力モードが、前記ｕＡＰＳＤ省電力モードであり、前記グループオーナーノードの前記決定された省電力モードが、前記日和見主義的省電力モードであり、データ接続の前記決定されたカテゴリが、前記グループオーナーノードから前記クライアントノードへの前記ピアツーピアアイソクロナスデータ伝送を備え、前記クライアントノードの前記省電力パラメータを調整することが、
前記クライアントノードのｕＡＰＳＤトリガを前記グループオーナーノードのビーコン区間に同期させることを備える、
請求項８に記載の方法。
【請求項１３】
前記クライアントノードの前記決定された省電力モードが、前記ｕＡＰＳＤ省電力モードであり、前記グループオーナーノードの前記決定された省電力モードが、前記ＮｏＡ省電力モードであり、データ接続の前記決定されたカテゴリが、前記グループオーナーノードから前記クライアントノードへの前記ピアツーピアアイソクロナスデータ伝送を備え、前記クライアントノードの前記省電力パラメータを調整することが、
前記クライアントノードのｕＡＰＳＤトリガを前記グループオーナーノードの存在期間に同期させることを備える、
請求項８に記載の方法。
【請求項１４】
ピアツーピア通信システムのグループオーナーノードにおいて電力消費を制御するための装置であって、
前記グループオーナーノードの省電力モードとクライアントノードの省電力モードとを、前記グループオーナーノードによって決定するための省電力モードマネージャと、
前記グループオーナーノードと前記クライアントノードとの間のデータ接続のカテゴリを、前記グループオーナーノードによって決定するためのデータ接続マネージャと、ここにおいて、データ接続の前記カテゴリは、ピアツーピアバルクデータ伝送、またはアイソクロナスデータ伝送のうちの１つであり得る、
前記グループオーナーノードの前記決定された省電力モード、前記クライアントノードの前記決定された省電力モード、およびデータ接続の前記決定されたカテゴリに少なくとも部分的に基づいて、前記グループオーナーノードの省電力パラメータを調整するためのパラメータ調整マネージャと
を備える装置。
【請求項１５】
ピアツーピア通信システムのクライアントノードにおいて電力消費を制御するための装置であって、
前記クライアントノードの省電力モードを、前記クライアントノードによって決定するためのクライアント省電力モードマネージャと、ここにおいて、前記クライアントノードの前記省電力モードが、標準省電力モードおよび非スケジュール自動省電力送達（ｕＡＰＳＤ）省電力モードからなるグループのうちの１つである、
グループオーナーノードの省電力モードを、前記クライアントノードによって決定するためのグループオーナー省電力モードマネージャと、ここにおいて、前記グループオーナーノードの前記省電力モードが、不在通知（ＮｏＡ）省電力モードおよび日和見主義的省電力モードからなるグループのうちの１つである、
前記クライアントノードと前記グループオーナーノードとの間のデータ接続のカテゴリを、前記クライアントノードによって決定するためのデータ接続マネージャと、ここにおいて、データ接続の前記カテゴリは、ピアツーピアバルクデータ伝送、またはアイソクロナスデータ伝送のうちの１つであり得る、
前記クライアントノードの前記決定された省電力モード、前記グループオーナーノードの前記決定された省電力モード、およびデータ接続の前記決定されたカテゴリに少なくとも部分的に基づいて、前記クライアントノードの省電力パラメータを調整するためのパラメータ調整マネージャと
を備える装置。
【手続補正２】
【補正対象書類名】明細書
【補正対象項目名】０１２２
【補正方法】変更
【補正の内容】
【０１２２】
[0120]本開示の前の説明は、当業者が本開示を作成または使用することができるように提供される。本開示の様々な変更が当業者には容易に明らかとなり、本明細書で定義される一般原理は、本開示の範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明する例および設計に限定されるべきでなく、本明細書で開示する原理および新規の特徴に合致する最も広い範囲を与えられるべきである。
以下に本願の出願当初の特許請求の範囲に記載された発明を付記する。
［Ｃ１］
ピアツーピア通信システムのグループオーナーノードにおいて電力消費を制御するための方法であって、
前記グループオーナーノードの省電力モードとクライアントノードの省電力モードとを、前記グループオーナーノードによって決定することと、
前記グループオーナーノードと前記クライアントノードとの間のデータ接続のカテゴリを、前記グループオーナーノードによって決定することと、
前記グループオーナーノードの前記決定された省電力モード、前記クライアントノードの前記決定された省電力モード、およびデータ接続の前記決定されたカテゴリに少なくとも部分的に基づいて、前記グループオーナーノードの省電力パラメータを調整することと
を備える方法。
［Ｃ２］
前記グループオーナーノードの前記決定された省電力モードが、日和見主義的省電力モードを備え、前記クライアントノードの前記決定された省電力モードが、標準省電力モードを備え、データ接続の前記決定されたカテゴリが、前記グループオーナーノードから前記クライアントノードへのピアツーピアバルクデータ伝送を備え、前記グループオーナーノードの前記省電力パラメータを調整することが、
前記グループオーナーノードのクライアントトラフィックウィンドウ（ＣＴＷｉｎｄｏｗ）をビーコン区間内になるように増大させることを備える、
Ｃ１に記載の方法。
［Ｃ３］
前記グループオーナーノードの前記決定された省電力モードが、ＮｏＡ省電力モードを備え、データ接続の前記決定されたカテゴリが、前記グループオーナーノードから前記クライアントノードへのピアツーピアバルクデータ伝送を備え、前記グループオーナーノードの前記省電力パラメータを調整することが、
前記グループオーナーノードの不在継続時間を０まで減少させることを備える、
Ｃ１に記載の方法。
［Ｃ４］
前記グループオーナーノードの前記決定された省電力モードが、日和見主義的省電力モードを備え、前記クライアントノードの前記決定された省電力モードが、標準省電力モードを備え、データ接続の前記決定されたカテゴリが、前記グループオーナーノードから前記クライアントノードへのピアツーピアアイソクロナスデータ伝送を備え、前記グループオーナーノードの前記省電力パラメータを調整することが、
前記グループオーナーノードのＣＴＷｉｎｄｏｗをビーコン区間内になるように増大させることを備える、
Ｃ１に記載の方法。
［Ｃ５］
前記グループオーナーノードの前記決定された省電力モードが、日和見主義的省電力モードを備え、前記クライアントノードの前記決定された省電力モードが、ｕＡＰＳＤ省電力モードを備え、データ接続の前記決定されたカテゴリが、前記グループオーナーノードから前記クライアントノードへのピアツーピアアイソクロナスデータ伝送を備え、前記グループオーナーノードの前記省電力パラメータを調整することが、
前記グループオーナーノードのＣＴＷｉｎｄｏｗをビーコン区間内になるように増大させることを備える、
Ｃ１に記載の方法。
［Ｃ６］
前記グループオーナーノードの前記決定された省電力モードが、ＮｏＡ省電力モードを備え、データ接続の前記決定されたカテゴリが、前記グループオーナーノードから前記クライアントノードへのピアツーピアアイソクロナスデータ伝送を備え、前記グループオーナーノードの前記省電力パラメータを調整することが、
前記グループオーナーノードの不在継続時間を０まで減少させることを備える、
Ｃ１に記載の方法。
［Ｃ７］
前記省電力パラメータを調整することが、前記グループオーナーノードと前記クライアントノードとの間の前記データ接続のスループットを変更する、Ｃ１に記載の方法。
［Ｃ８］
前記省電力パラメータを調整することが、前記グループオーナーノードと前記クライアントノードとの間の前記データ接続のレイテンシを変更する、Ｃ１に記載の方法。
［Ｃ９］
ピアツーピア通信システムのクライアントノードによって電力消費を制御するための方法であって、
前記クライアントノードの省電力モードを、前記クライアントノードによって決定することと、ここにおいて、前記クライアントノードの前記省電力モードが、標準省電力モードおよび非スケジュール自動省電力送達（ｕＡＰＳＤ）省電力モードからなるグループのうちの１つである、
グループオーナーノードの省電力モードを、前記クライアントノードによって決定することと、ここにおいて、前記グループオーナーノードの前記省電力モードが、不在通知（ＮｏＡ）省電力モードおよび日和見主義的省電力モードからなるグループのうちの１つである、
前記クライアントノードと前記グループオーナーノードとの間のデータ接続のカテゴリを、前記クライアントノードによって決定することと、
前記クライアントノードの前記決定された省電力モード、前記グループオーナーノードの前記決定された省電力モード、およびデータ接続の前記決定されたカテゴリに少なくとも部分的に基づいて、前記クライアントノードの省電力パラメータを調整することと
を備える方法。
［Ｃ１０］
前記クライアントノードの前記決定された省電力モードが、前記標準省電力モードであり、前記グループオーナーノードの前記決定された省電力モードが、前記ＮｏＡ省電力モードであり、データ接続の前記決定されたカテゴリが、前記グループオーナーノードから前記クライアントノードへのピアツーピアバルクデータ伝送を備え、前記クライアントノードの前記省電力パラメータを調整することが、
前記標準省電力モードを中断することを備える、
Ｃ９に記載の方法。
［Ｃ１１］
前記クライアントノードの前記決定された省電力モードが、前記ｕＡＰＳＤ省電力モードであり、前記グループオーナーノードの前記決定された省電力モードが、前記ＮｏＡ省電力モードであり、データ接続の前記決定されたカテゴリが、前記グループオーナーノードから前記クライアントノードへのピアツーピアバルクデータ伝送を備え、前記クライアントノードの前記省電力パラメータを調整することが、
前記クライアントノードのｕＡＰＳＤトリガを前記グループオーナーノードの存在期間に同期させることを備える、
Ｃ９に記載の方法。
［Ｃ１２］
前記クライアントノードの前記決定された省電力モードが、前記標準省電力モードであり、データ接続の前記決定されたカテゴリが、前記グループオーナーノードから前記クライアントノードへのピアツーピアアイソクロナスデータ伝送を備え、前記クライアントノードの前記省電力パラメータを調整することが、
前記標準省電力モードを中断することを備える、
Ｃ９に記載の方法。
［Ｃ１３］
前記クライアントノードの前記決定された省電力モードが、前記ｕＡＰＳＤ省電力モードであり、前記グループオーナーノードの前記決定された省電力モードが、前記日和見主義的省電力モードであり、データ接続の前記決定されたカテゴリが、前記グループオーナーノードから前記クライアントノードへのピアツーピアアイソクロナスデータ伝送を備え、前記クライアントノードの前記省電力パラメータを調整することが、
前記クライアントノードのｕＡＰＳＤトリガを前記グループオーナーノードのビーコン区間に同期させることを備える、
Ｃ９に記載の方法。
［Ｃ１４］
前記クライアントの前記決定された省電力モードが、前記ｕＡＰＳＤ省電力モードであり、前記グループオーナーノードの前記決定された省電力モードが、前記ＮｏＡ省電力モードであり、データ接続の前記決定されたカテゴリが、前記グループオーナーノードから前記クライアントノードへのピアツーピアアイソクロナスデータ伝送を備え、前記クライアントノードの前記省電力パラメータを調整することが、
前記クライアントノードのｕＡＰＳＤトリガを前記グループオーナーノードの存在期間に同期させることを備える、
Ｃ９に記載の方法。
［Ｃ１５］
前記省電力パラメータを調整することが、前記グループオーナーノードと前記クライアントノードとの間の前記データ接続のスループットを変更する、Ｃ９に記載の方法。
［Ｃ１６］
前記省電力パラメータを調整することが、前記グループオーナーノードと前記クライアントノードとの間の前記データ接続のレイテンシを変更する、Ｃ９に記載の方法。
［Ｃ１７］
ピアツーピア通信システムのグループオーナーノードにおいて電力消費を制御するための装置であって、
前記グループオーナーノードの省電力モードとクライアントノードの省電力モードとを、前記グループオーナーノードによって決定するための省電力モードマネージャと、
前記グループオーナーノードと前記クライアントノードとの間のデータ接続のカテゴリを、前記グループオーナーノードによって決定するためのデータ接続マネージャと、
前記グループオーナーノードの前記決定された省電力モード、前記クライアントノードの前記決定された省電力モード、およびデータ接続の前記決定されたカテゴリに少なくとも部分的に基づいて、前記グループオーナーノードの省電力パラメータを調整するためのパラメータ調整マネージャと
を備える装置。
［Ｃ１８］
前記グループオーナーノードの前記決定された省電力モードが、日和見主義的省電力モードを備え、前記クライアントノードの前記決定された省電力モードが、標準省電力モードを備え、データ接続の前記決定されたカテゴリが、前記グループオーナーノードから前記クライアントノードへのピアツーピアバルクデータ伝送を備え、前記グループオーナーノードの前記省電力パラメータを調整することが、
前記グループオーナーノードのクライアントトラフィックウィンドウ（ＣＴＷｉｎｄｏｗ）をビーコン区間内になるように増大させることを備える、
Ｃ１７に記載の装置。
［Ｃ１９］
前記グループオーナーノードの前記決定された省電力モードが、ＮｏＡ省電力モードを備え、データ接続の前記決定されたカテゴリが、前記グループオーナーノードから前記クライアントノードへのピアツーピアバルクデータ伝送を備え、前記グループオーナーノードの前記省電力パラメータを調整することが、
前記グループオーナーノードの不在継続時間を０まで減少させることを備える、
Ｃ１７に記載の装置。
［Ｃ２０］
前記グループオーナーノードの前記決定された省電力モードが、日和見主義的省電力モードを備え、前記クライアントノードの前記決定された省電力モードが、標準省電力モードを備え、データ接続の前記決定されたカテゴリが、前記グループオーナーノードから前記クライアントノードへのピアツーピアアイソクロナスデータ伝送を備え、前記グループオーナーノードの前記省電力パラメータを調整することが、
前記グループオーナーノードのＣＴＷｉｎｄｏｗをビーコン区間内になるように増大させることを備える、
Ｃ１７に記載の装置。
［Ｃ２１］
前記グループオーナーノードの前記決定された省電力モードが、日和見主義的省電力モードを備え、前記クライアントノードの前記決定された省電力モードが、ｕＡＰＳＤ省電力モードを備え、データ接続の前記決定されたカテゴリが、前記グループオーナーノードから前記クライアントノードへのピアツーピアアイソクロナスデータ伝送を備え、前記グループオーナーノードの前記省電力パラメータを調整することが、
前記グループオーナーノードのＣＴＷｉｎｄｏｗをビーコン区間内になるように増大させることを備える、
Ｃ１７に記載の装置。
［Ｃ２２］
前記グループオーナーノードの前記決定された省電力モードが、ＮｏＡ省電力モードを備え、データ接続の前記決定されたカテゴリが、前記グループオーナーノードから前記クライアントノードへのピアツーピアアイソクロナスデータ伝送を備え、前記グループオーナーノードの前記省電力パラメータを調整することが、
前記グループオーナーノードの不在継続時間を０まで減少させることを備える、
Ｃ１７に記載の装置。
［Ｃ２３］
前記省電力パラメータを調整することが、前記グループオーナーノードと前記クライアントノードとの間の前記データ接続のスループット、前記グループオーナーノードと前記クライアントノードとの間の前記データ接続のレイテンシ、またはそれらの組合せのうちの少なくとも１つを変更する、Ｃ１７に記載の装置。
［Ｃ２４］
ピアツーピア通信システムのクライアントノードにおいて電力消費を制御するための装置であって、
前記クライアントノードの省電力モードを、前記クライアントノードによって決定するためのクライアント省電力モードマネージャと、ここにおいて、前記クライアントノードの前記省電力モードが、標準省電力モードおよび非スケジュール自動省電力送達（ｕＡＰＳＤ）省電力モードからなるグループのうちの１つである、
グループオーナーノードの省電力モードを、前記クライアントノードによって決定するためのグループオーナー省電力モードマネージャと、ここにおいて、前記グループオーナーノードの前記省電力モードが、不在通知（ＮｏＡ）省電力モードおよび日和見主義的省電力モードからなるグループのうちの１つである、
前記クライアントノードと前記グループオーナーノードとの間のデータ接続のカテゴリを、前記クライアントノードによって決定するためのデータ接続マネージャと、
前記クライアントノードの前記決定された省電力モード、前記グループオーナーノードの前記決定された省電力モード、およびデータ接続の前記決定されたカテゴリに少なくとも部分的に基づいて、前記クライアントノードの省電力パラメータを調整するためのパラメータ調整マネージャと
を備える装置。
［Ｃ２５］
前記クライアントノードの前記決定された省電力モードが、前記標準省電力モードであり、前記グループオーナーノードの前記決定された省電力モードが、前記ＮｏＡ省電力モードであり、データ接続の前記決定されたカテゴリが、前記グループオーナーノードから前記クライアントノードへのピアツーピアバルクデータ伝送を備え、前記クライアントノードの前記省電力パラメータを調整することが、
前記標準省電力モードを中断することを備える、
Ｃ２４に記載の装置。
［Ｃ２６］
前記クライアントノードの前記決定された省電力モードが、前記ｕＡＰＳＤ省電力モードであり、前記グループオーナーノードの前記決定された省電力モードが、前記ＮｏＡ省電力モードであり、データ接続の前記決定されたカテゴリが、前記グループオーナーノードから前記クライアントノードへのピアツーピアバルクデータ伝送を備え、前記クライアントノードの前記省電力パラメータを調整することが、
前記クライアントノードのｕＡＰＳＤトリガを前記グループオーナーノードの存在期間に同期させることを備える、
Ｃ２４に記載の装置。
［Ｃ２７］
前記クライアントノードの前記決定された省電力モードが、前記標準省電力モードであり、データ接続の前記決定されたカテゴリが、前記グループオーナーノードから前記クライアントノードへのピアツーピアアイソクロナスデータ伝送を備え、前記クライアントノードの前記省電力パラメータを調整することが、
前記標準省電力モードを中断することを備える、
Ｃ２４に記載の装置。
［Ｃ２８］
前記クライアントノードの前記決定された省電力モードが、前記ｕＡＰＳＤ省電力モードであり、前記グループオーナーノードの前記決定された省電力モードが、前記日和見主義的省電力モードであり、データ接続の前記決定されたカテゴリが、前記グループオーナーノードから前記クライアントノードへのピアツーピアアイソクロナスデータ伝送を備え、前記クライアントノードの前記省電力パラメータを調整することが、
前記クライアントノードのｕＡＰＳＤトリガを前記グループオーナーノードのビーコン区間に同期させることを備える、
Ｃ２４に記載の装置。
［Ｃ２９］
前記クライアントの前記決定された省電力モードが、前記ｕＡＰＳＤ省電力モードであり、前記グループオーナーノードの前記決定された省電力モードが、前記ＮｏＡ省電力モードであり、データ接続の前記決定されたカテゴリが、前記グループオーナーノードから前記クライアントノードへのピアツーピアアイソクロナスデータ伝送を備え、前記クライアントノードの前記省電力パラメータを調整することが、
前記クライアントノードのｕＡＰＳＤトリガを前記グループオーナーノードの存在期間に同期させることを備える、
Ｃ２４に記載の装置。
［Ｃ３０］
前記省電力パラメータを調整することが、前記グループオーナーノードと前記クライアントノードとの間の前記データ接続のスループット、前記グループオーナーノードと前記クライアントノードとの間の前記データ接続のレイテンシ、またはそれらの組合せのうちの少なくとも１つを変更する、Ｃ２４に記載の装置。